(57)【要約】【課題】画質を劣化させることなく画像再現を高め、印刷コストを低減させる。【解決手段】半透明のシートの片面に広告画像を干渉モアレを回避し、複数回印刷することで、従来の電飾看板の製造方法のように半透明のシートの両面に広告画像を印刷して両画像を一致させるようにする事なく、バックライト電飾印刷に必要な色濃度を十分高めることが出来る。これにより、片面の印刷板のみでよくなり、画質を劣化させることなくより格段に再現性を高めて印刷コストを低減することができる。なお、半透明のシートの片面への広告画像の印刷に用いられる印刷板は、ＡＭスクリーンを用いて製版され、スクリーン線数は、超高細線の略７００線／インチであることが好ましいが画像表現差によりＦＭスクリーンを用いる場合もある。また、半透明のシートの片面への広告画像の印刷には、不透過度が３０％以下のインキを用いることが好ましい。【選択図】なし【特許請求の範囲】
【請求項１】
被印刷体の片面に同一画像を複数回印刷する印刷方法。
【請求項２】
前記被印刷体の片面への前記画像の印刷に用いられる印刷板のうちの少なくとも一部は、均等な間隔で配列された網点の大きさを変えることで濃淡を表示するＡＭ（Amplitude Modulation）スクリーンを用いて製版され、
前記ＡＭスクリーンにおける、１インチ当りに並んでいる網点の数を示すスクリーン線数は、２００線／インチ以上である、ことを特徴とする請求項１に記載の印刷方法。
【請求項３】
前記ＡＭスクリーンにおける前記スクリーン線数は、略７００線／インチ以上である、
ことを特徴とする請求項２に記載の印刷方法。
【請求項４】
前記ＡＭスクリーンにおける前記スクリーン線数は、略７００線／インチである、
ことを特徴とする請求項３に記載の印刷方法。
【請求項５】
前記被印刷体の片面への前記画像の印刷に用いられる印刷板のうちの少なくとも一部は、ランダムに配置された網点の密度を変化させて濃淡を表示するＦＭ（Frequency Modulation）スクリーンも用い製版される、
ことを特徴とする請求項１乃至４のいずれか一項に記載の印刷方法。
【請求項６】
前記被印刷体の片面への前記画像の印刷には、不透過度が３０％以下までのインキが用いられる、
ことを特徴とする請求項１乃至５のいずれか一項に記載の印刷方法。
【請求項７】
前記被印刷体の片面への前記画像の印刷に用いられるインキは、透明インキに白系のインキを混ぜ合わせて生成される、
ことを特徴とする請求項１乃至６のいずれか一項に記載の印刷方法。
【発明の詳細な説明】
【技術分野】
【０００１】
本発明は、印刷方法に関し、特に、画質を劣化させることなく画像再現を高め、印刷コストを低減可能な印刷方法に関する。
【背景技術】
【０００２】
近年、裏面側から光を照射することにより、半透明なプラスチック板に貼り付けた透明又は半透明のシートに印刷された広告画像を駅の利用者や通行人に鮮明に表示する電飾看板は、駅構内や地下道に多数設置されている。
【０００３】
オフセット印刷や、グラビア印刷、スクリーン印刷では、インキの塗布量が少なく、片面印刷では印刷部分の色濃度に限界があるため、この発案前は透明又は半透明のシートの両面に広告画像を印刷して両画像を一致させるようにし、電飾看板に表示される広告画像の色濃度を高めていた。例えば、オフセット印刷では、透明又は半透明のシートの表面に印刷板を用いて広告画像を印刷した後、時間おいてインキの乾燥を十分にさせ、次いで前記印刷板の逆の印刷板を用いて表面が印刷された透明又は半透明のシートの裏面に印刷を施し、表裏の印刷で色濃度を高めていた（例えば特許文献１参照）ため、印刷予備シートも両面印刷分必要であった。
【先行技術文献】
【特許文献】
【０００４】
【特許文献１】実公昭４９−１５２７３号公報
【発明の概要】
【発明が解決しようとする課題】
【０００５】
しかしながら、特許文献１に記載の技術では、両面の印刷板とその印刷予備シート数が必要となるため、電飾看板の製造コストが高くなる要因となっていた。また、両面に同じ広告画像を印刷することは極めて困難であり、両画像が完全には一致せずに、特に図柄の境界がぼやけたものとなっていた。さらに、仮に精密に印刷を行って両画像を一致させることができたとしても、正面方向以外、例えば斜め方向から見た場合には透明又は半透明のシートの厚み分だけ図柄がずれることになるため、特に図柄の境界が不鮮明になっていた。
【０００６】
本発明は、上記の課題を解決するためになされたものであって、画質を劣化させることなく画像再現を高め、印刷コストを低減可能な印刷方法を提供することを目的とする。
【課題を解決するための手段】
【０００７】
上記の目的を達成するため、本発明に係る印刷方法は、被印刷体の片面に同一画像を複数回印刷する。
【０００８】
上記の印刷方法において、前記被印刷体の片面への前記画像の印刷に用いられる印刷板のうちの少なくとも一部は、均等な間隔で配列された網点の大きさを変えることで濃淡を表示するＡＭ（Amplitude Modulation）スクリーンを用いて製版され、前記ＡＭスクリーンにおける、１インチ当りに並んでいる網点の数を示すスクリーン線数は、２００線／インチ以上である、ことが好ましい。
【０００９】
より好ましくは、前記ＡＭスクリーンにおける前記スクリーン線数は、略７００線／インチ以上である。
【００１０】
さらに、好適には、前記ＡＭスクリーンにおける前記スクリーン線数は、略７００線／インチである。
【００１１】
また、上記の印刷方法において、前記被印刷体の片面への前記画像の印刷に用いられる印刷板のうちの少なくとも一部は、ランダムに配置された網点の密度を変化させて濃淡を表示するＦＭ（Frequency Modulation）スクリーンも用い製版されてもよい。なお、前記ＦＭスクリーンにおける、１インチ当りに並んでいる網点の数を示すスクリーン線数が略４００線／インチである事、若しくは網点のサイズが２０μｍ以下である事が好ましい。
【００１２】
さらに、上記の印刷方法において、前記被印刷体の片面への前記画像の印刷には、不透過度が３０％以下までのインキが用いられる事が好ましい。なお、前記被印刷体の片面への前記画像の印刷には、従来持つインキの透過性を軽減するためのインキが用いられる事が好ましい。
【００１３】
そして、上記の印刷方法において、前記被印刷体の片面への前記画像の印刷に用いられるインキは、透明インキに白系のインキを混ぜ合わせて生成される、ものであればよい。
【発明の効果】
【００１４】
本発明によれば、画質を劣化させることなく画像再現を高め、印刷コストを低減可能な印刷方法を提供することができる。
【発明を実施するための形態】
【００１５】
以下、本発明の実施形態に係る電飾看板の製造方法を説明する。
【００１６】
本実施形態に係る電飾看板は、オフセット印刷機を用いて、半透明のシートの片面に広告画像を複数回印刷し、広告画像が印刷された半透明のシートをパネルに固定する事により、製造される。なお、本実施形態では、半透明のシートの片面への広告画像の印刷は、オフセット印刷で行われるものとして説明するが、本発明はこれに限定されるものではなく、グラビア印刷、スクリーン印刷、及びインクジェット印刷等で行われてもよい。
【００１７】
具体的には、まず、印刷版の原版を四枚用意する。印刷版の原版は、ＣＴＰ（Computer To Plate）により画像形成可能な記録層を有するものであればより良い。例えば、印刷版の原版としては、半導体レーザ露光等によりデジタルデータから直接画像形成可能であり、露光部のアルカリ現像液に対する溶解性が向上するサーマルポジ型の記録層を有するものや、露光部が硬化して画像形成するサーマルネガ型の記録層を有するもの等が挙げられる。
【００１８】
次に、広告画像を表す画像データをＣＴＰセッターに入力して色分解処理及び網点生成を行い、均等な間隔で配列された網点の大きさを変えることで濃淡を表示するＡＭ（Amplitude Modulation）スクリーンを用いて、オフセット印刷機で用いられる色（本実施形態では、シアン、マゼンダ、イエロー、及びブラックの四色）毎の網点を示す製版用データを生成する。なお、本実施形態において、オフセット印刷機では、シアン、マゼンダ、イエロー、ブラックの四色が用いられるものとして説明するが、本発明はこれに限定されるものではなく、オフセット印刷機で用いられる色の数は任意であり、三色以下であってもよいし、特殊インキを含む五色以上であってもよい。
【００１９】
ここで、ＡＭスクリーンでは、解像度を表現する方法としてスクリーン線数（１インチ当りに並んでいる網点の数）が用いられる。電飾看板の製造では、１７５線／インチの比較的低分解能の網点が用いられるのが一般的であるが、本実施形態では、２００線／インチ以上の高細線の網点が用いられている。これにより、本実施形態における電飾看板の製造方法のように、半透明のシートの片面に広告画像を複数回印刷する場合でも、干渉モアレやロゼッタパターンの発生により画像の質感や、実存感及び細部の再現性等が低下することを防止することができる。
【００２０】
なお、スクリーン線数は、２００線／インチ以上であれば任意であり、干渉モアレやロゼッタパターンの発生による画像の質感や、実存感及び細部の再現性等の低下をより確実に防止するためには、超高細線７００線／インチ以上であることが好ましく、例えば、７００線／インチ、９００線／インチ、及び１０００線／インチ等でもよい。もっとも、スクリーン線数を高くすると、ＣＴＰセッターの解像度の制約や、小面積の網点の耐刷性低下等の問題が生じてしまうため、より好適には、７００線／インチ程度とするのがよい。
【００２１】
なお、本実施形態では、ＡＭスクリーンを用いるものとして説明するが、ランダムに配置された網点の密度を変化させて濃淡を表示するＦＭ（Frequency Modulation）スクリーンを用いてもよいし、ＡＭスクリーンとＦＭスクリーンとを組み合わせた方式を用いてもよい。また、オフセット印刷機で用いられる色のうちの少なくとも一部にＡＭスクリーンを用い、それ以外の色にＦＭスクリーンを用いてもよい。なお、ＦＭスクリーンを用いる場合、スクリーン線数は、印刷版の製版時の網点再現性を安定させ、印刷時の管理を容易にするため、略４００線／インチ以上であることが好ましい。
【００２２】
続いて、用意した四枚の印刷版の原版を一枚ずつＣＴＰセッターにセットし、製版用データに基づいて、印刷版の原版を露光した後、アルカリ現像液により現像処理を行って、イエロー、シアン、マゼンタ、及びブラックの印刷板をそれぞれ製版する。
【００２３】
ここで、露光に用いる光源は、印刷版の原版が有する記録層に応じて選択されるが、現在、従来のフィルム刷版露光のキセノンなどの諸光源を含めるが、ＣＴＰ露光に用いられる活性光線の光源としては、近赤外から赤外領域に発光波長を持つ光源や、固体レーザや半導体レーザ等が特に好ましい。
【００２４】
また、現像処理に用いる現像液又は補充液としては、公知のアルカリ水溶液を適宜選択して使用できる。アルカリ水溶液に使用し得るアルカリ剤としては、例えば、ケイ酸ナトリウム、同カリウム等の無機アルカリ塩やモノメチルアミン、ジメチルアミン、トリメチルアミン、トリエタノールアミン、エチレンイミン、ピリジン等の有機アルカリ剤が挙げられ、これらは一種単独で用いてもよいし、二種以上を併用してもよい。
【００２５】
現像液及び補充液を用いて現像処理されたイエロー、シアン、マゼンタ、及びブラックの印刷版は、それぞれ水洗水、界面活性剤等を含有するリンス液、アラビアガムや澱粉誘導体を含む不感脂化液で後処理される。
【００２６】
続いて、イエロー、シアン、マゼンタ、及びブラックの印刷板をオフセット印刷機の第１印刷胴から最終印刷胴（本実施形態では、第四印刷胴）順次セットし、それぞれの印刷板に対応するインキ、及び湿し水を供給し、印刷版に供給されたインキをブランケット胴を介して圧胴に保持された半透明のシートの片面に転写して行くことにより、半透明のシートの片面に広告画像を印刷する。そして、半透明のシートの片面への広告画像の印刷を複数回行う。このように、広告画像の印刷を複数回行うことで、片面印刷でも色濃度を十分高めることができる。
【００２７】
ここで、印刷に用いられる半透明のシートは、腰強度も高く、印刷性に優れ、印刷の見映えも良好なトレース紙が好ましい。本実施形態では、炭酸カルシウム又は焼成クレイ等の白色無機微細粉末を含有する熱可塑性樹脂の延伸フィルムよりなる不透明度（ＪＩＳ  Ｐ−８１３８）が１５〜３５％のトレース合成紙を用いている。
【００２８】
また、印刷には、透過度の低い、具体的には不透過性が３０％以下までのインキが用いられる。このようなインキは、透過度の高い汎用のイエロー、シアン、マゼンタ、及びブラックのＵＶ（Ultra Violet）硬化型インキ（透明インキ）のそれぞれに、不純物として従来持つインキの透過性を軽減するためのインキ、例えば透過度を低下させる白系のインキを混ぜ合わせて生成される。このように透過度の低いインキを用いて印刷することで、片面印刷でも明度が高くなり過ぎることを防止する事ができる。使途目的のバックライト用としてより鮮明な画像表現が可能な高濃度印刷物となる。
【００２９】
そして、広告画像が印刷された半透明のシートをパネルに固定して、電飾看板を製造する。このようにして、パネルに固定された半透明のシートの裏面側に、蛍光灯、電球、水銀灯、及びキセノン灯等の光源から光線を照射して、光を半透明のシートに透過させることにより、電飾看板には、半透明のシートに印刷された広告画像が表示される。
【００３０】
以上説明したように、本実施形態における電飾看板の製造方法によれば、被印刷体である半透明のシートの片面に広告画像を複数回印刷することで、従来の電飾看板の製造方法のように半透明のシートの両面に広告画像を印刷して、両画像を一致させるようにすることなく、色濃度を十分高めることができる。これにより、片面の印刷板のみで足り、従来の電飾看板の製造方法のように両面の印刷板を必要としなくなるため、画質を劣化させることなく画像再現を高め、印刷コスト、ひいては電飾看板の製造コストを低減することができる。
【００３１】
また、半透明のシートの両面に両画像が一致するように印刷する必要がなくなるため、両画像の不一致に起因して図柄の境界がぼやけたり、半透明のシートの厚みに起因して図柄がずれて図柄の境界が不鮮明になったりすることを防止することができ、画質の劣化を防止できるにとどまらず、画質を向上させることができる。
【００３２】
さらに、半透明のシートの片面への広告画像の印刷に用いられる印刷板のうちの少なくとも一部は、ＡＭスクリーンを用いて製版され、ＡＭスクリーンにおけるスクリーン線数を２００線／インチ以上、より好ましくは略７００線／インチ以上としているため、干渉モアレやロゼッタパターンの発生による画像の質感や、実存感及び細部の再現性等の低下を防止することができる。さらに好適には、ＡＭスクリーンにおけるスクリーン線数を略７００線／インチとすることで、ＣＴＰセッターの解像度の制約や、小面積の網点の耐刷性低下等の問題を解消することができる。
【００３３】
なお、半透明のシートの片面への広告画像の印刷に用いられる印刷板のうちの少なくとも一部は、ＦＭスクリーンを用いて製版されてもよく、ＦＭスクリーンを用いる場合、スクリーン線数や網点のサイズは、特に限定されるものではなく、全般的に任意に選択可能であるが、好ましくは、スクリーン線数を略４００線／インチに、或いは網点のサイズを例えば１０μｍ、１５μｍ、及び２０μｍ等、２０μｍ以下にすれば、印刷版の製版時の網点再現性を安定させ、印刷時の管理を容易にすることができる。
【００３４】
また、半透明のシートの片面への広告画像の印刷は、上述したように、インクジェット印刷で行われてもよく、この場合、インクジェット印刷における解像度は、１４４０ｄｐｉ以上であれば任意であり、ドット形状及び色数等も特に限定されるものではない。したがって、本発明に係る印刷方法は、今後開発される様々なインクジェット印刷にも適用可能である。
【００３５】
また、半透明のシートの片面への広告画像の印刷には、不透過度が３０％以下までのインキが用いられ、かかるインキは、透過度の高い汎用のイエロー、シアン、マゼンタ、及びブラックのＵＶ硬化型インキ（透明インキ）のそれぞれに、不純物として透過度を低下させる白系のインキを混ぜ合わせて生成される。このように透過度の低いインキを用いて印刷することで、片面印刷でも各色印刷濃度・明度・彩度が幅広く表現可能となり、且つ、必要以上の印刷膜厚が高くなり過ぎる事を防止し、印刷作業環境の標準化及び過度の原材料消費を抑制することができる。
【００３６】
なお、本発明に係る印刷方法は、電飾看板に用いられる半透明のシートの印刷に限定されるものではなく、ポスター等、種々の通常被印刷体への印刷にも適用可能であることは言うまでもない。